(57)【要約】【課題】簡易な構成で、跳ね上げ板を支持することが可能な記録装置を提供すること。【解決手段】インクジェット式プリンタ１００の下部ハウジング１０２は、ホッパ４１を支持するホッパ支持部２００ａ、２００ｂと、給紙部１２０を支持する給紙支持部４２０とを有し、一体成形されていることを特徴としている。これにより、ホッパ４１を支持するホッパ支持部２００ａ、２００ｂが下部ハウジング１０２として一体成形されているので、部品点数を減少させてコストを抑えることができる。【選択図】図７
2007276930.tif 000002
【特許請求の範囲】
【請求項１】
被記録媒体を給送する給送部と、前記被記録媒体を載置して跳ね上げ、前記給送部に当接させる跳ね上げ板とを備えた記録装置において、
前記記録装置の一のハウジングは、前記跳ね上げ板を支持する板支持部と、前記給送部を支持する給送支持部とを有し、一体成形されていることを特徴とする記録装置。
【請求項２】
前記一のハウジングは、前記跳ね上げ板に載置された前記被記録媒体の先端を揃える当接部を有し、一体成形されていることを特徴とする請求項１に記載の記録装置。
【請求項３】
前記一のハウジングは、前記記録装置の設置部を有することを特徴とする請求項１または２に記載の記録装置。
【請求項４】
前記一のハウジングは、前記記録装置の全設置部を有することを特徴とする請求項１〜３の何れか一項に記載の記録装置。
【請求項５】
前記板支持部は、前記跳ね上げ板の媒体給送方向上流側の端を、媒体給送直交方向の両端から内側に押さえて支持することを特徴とする請求項１〜４の何れか一項に記載の記録装置。
【請求項６】
前記記録装置は、前記一のハウジングと異なる他のハウジングを有しており、前記他のハウジングは、前記板支持部の媒体給送直交方向の外側に配設されることを特徴とする請求項１〜５の何れか一項に記載の記録装置。
【請求項７】
前記板支持部と、前記跳ね上げ板との一方には穴が形成され、他方には突起部が設けられており、前記穴に前記突起部が嵌入されて、前記跳ね上げ板は支持されることを特徴とする請求項１〜６の何れか一項に記載の記録装置。
【請求項８】
前記板支持部には、前記穴が形成されているとともに、前記穴の前記突起部の差込方向後方に前記突起部の外周の一部と接触する板部材が設けられており、
前記板支持部は、前記穴の内側と前記板部材とによって、前記跳ね上げ板を揺動可能に支持することを特徴とする請求項７に記載の記録装置。
【発明の詳細な説明】
【技術分野】
【０００１】
本発明は、被記録媒体を跳ね上げる跳ね上げ板を備えた記録装置に関する。
【背景技術】
【０００２】
従来、記録装置の１つであるインクジェット式プリンタや熱転写式プリンタでは、画像を記録する用紙を、この用紙が載置された給紙トレイから跳ね上げ板の１つであるホッパによって給紙ローラに当接させて一枚ずつ給送し、記録ヘッドが搭載されたキャリッジを用紙の搬送直交方向（主走査方向）に往復移動させることにより記録し、画像が記録された用紙を排紙トレイへ排出して載置させている。
【０００３】
このような記録装置においては、給紙トレイの下部の記録装置の本体に、ホッパと支持部とで略構成されるホッパユニットを取り付けて、このホッパユニットに記録装置本体の駆動モータから駆動力を伝達してホッパを跳ね上げて用紙を給紙ローラに当接させている（特許文献１参照）。
【０００４】
【特許文献１】特開２００３−２０１０３４号公報
【発明の開示】
【発明が解決しようとする課題】
【０００５】
上述した記録装置では、給紙ローラに用紙を当接させるホッパを備えたホッパユニットを、記録装置の本体に装着しており、このホッパユニットのホッパに記録装置側から駆動力を伝達してホッパを跳ね上げている。このホッパの跳ね上げ動作は、伝達される駆動力及びホッパユニットのホッパの裏面に設けられている圧縮バネの張力によって行われる。そして、ホッパが揺動することによって、給紙ローラに用紙を当接及び離間させて一枚ずつ用紙を給送している。
【０００６】
しかしながら、この記録装置では、ホッパユニットが記録装置の本体とは別体であるため、ホッパユニットを本体に取り付けるための部品や、ホッパユニット自体の部品点数が多くなり、それに伴って、ホッパユニット取付構造やホッパユニット自体の構成が複雑になる。そして、部品点数の増加は、記録装置のコスト高に繋がっている。そして、このホッパユニット及びホッパユニットを取り付ける為の部品点数の減少が、以前から望まれていた。
【０００７】
本発明は、上記のような種々の課題に鑑みなされたものであり、その目的は、簡易な構成で、跳ね上げ板を支持することが可能な記録装置を提供することにある。
【課題を解決するための手段】
【０００８】
上記目的達成のため、本発明では、被記録媒体を給送する給送部と、前記被記録媒体を載置して跳ね上げ、前記給送部に当接させる跳ね上げ板とを備えた記録装置において、前記記録装置の一のハウジングは、前記跳ね上げ板を支持する板支持部と、前記給送部を支持する給送支持部とを有し、一体成形されていることを特徴としている。これにより、この記録装置では、跳ね上げ板を支持する板支持部がハウジングとして一体成形されているので、部品点数を減少させてコストを抑えることができる。
【０００９】
また、前記一のハウジングは、前記跳ね上げ板に載置された前記被記録媒体の先端を揃える当接部を有し、一体成形されていることを特徴としている。これにより、この記録装置では、当接部がハウジングとして一体成形されるので、部品点数が減少するのでコストを抑えることが可能となる。また、跳ね上げ板と当接部との位置合わせを簡易に行うことが可能となる。
【００１０】
また、前記一のハウジングは、前記記録装置の設置部を有することを特徴としている。これにより、この記録装置では、板支持部を有するハウジングが設置することになるので、板支持部を安定させることが可能となる。従って、支持される跳ね上げ板を安定的に支持することができる。
【００１１】
また、前記一のハウジングは、前記記録装置の全設置部を有することを特徴としている。これにより、記録装置の設置面を、板支持部を有しているハウジングのみで構成することが可能となるので、部品点数が減少し、コストを抑えることが可能となる。
【００１２】
また、前記板支持部は、前記跳ね上げ板の媒体給送方向上流側の端を、媒体給送直行方向の両端から内側に押さえて支持することを特徴としている。これにより、跳ね上げ板は、板支持部に押し広げる方向に力が発生したとしても、跳ね上げ板は、板支持部によって押さえられて、支持された状態を維持できるので外れることを防止することができる。
【００１３】
また、前記記録装置は、前記一のハウジングと異なる他のハウジングを有しており、前記他のハウジングは、前記板支持部の媒体給送直交方向の外側に配設されることを特徴としている。これにより、板支持部の外側には、他のハウジングが配設されるので、仮に、板支持部に対して、媒体給送直交方向の外側へ力が生じたとしても、他のハウジングによって押さえられて、板支持部の変形が防止され、跳ね上げ板が外れることを防止することができる。
【００１４】
また、前記板支持部と、前記跳ね上げ板との一方には穴が形成され、他方には突起部が設けられており、前記穴に前記突起部が嵌入されて、前記跳ね上げ板は支持されることを特徴としている。これにより、穴に突起部を嵌入するという簡易な構成で、跳ね上げ板を支持できるので、部品点数とコストを抑えることが可能となる。
【００１５】
また、前記板支持部には、前記穴が形成されているとともに、前記穴の前記突起部の差込方向後方に前記突起部の外周の一部と接触する板部材が設けられており、前記板支持部は、前記穴の内側と前記板部材とによって、前記跳ね上げ板を揺動可能に支持することを特徴としている。これにより、跳ね上げ板の突起部は、穴と板部材によって支持されるので、簡易な構成で跳ね上げ板を支持できる。また、突起部の接触面を少なくできるので、跳ね上げ板の揺動を円滑に行うことが可能となる。
【発明を実施するための最良の形態】
【００１６】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１７】
図１は、本発明の一実施形態に係る記録装置の１つであるインクジェット式プリンタの外部構成全体の斜視図、図２は、このインクジェット式プリンタのペーパーサポート及びスタッカ取付時の外部構成全体の斜視図、図３は、その内部構成の概略を示す斜視図であり、図４は、その内部構成概略を示す断面側面図である。このインクジェット式プリンタ１００は、例えば名刺、カード、Ｌ判／２Ｌ判、ハガキ、六切やＪＩＳ規格のＡ６判からＡ４判までのサイズの単票紙と、例えばＣＤ−Ｒ（Ｃｏｍｐａｃｔ  Ｄｉｓｃ−Ｒｅｃｏｒｄａｂｌｅ）やＤＶＤ−Ｒ（Ｄｉｇｉｔａｌ  Ｖｅｒｓａｔｉｌｅ  Ｄｉｓｃ−Ｒｅｃｏｒｄａｂｌｅ）等の光ディスクのレーベル面に記録することができる機能を備えている。
【００１８】
インクジェット式プリンタ１００は、図１及び図２に示すように全体が幅方向に長く延びる略直方体状の上部ハウジング１０１と下部ハウジング１０２とを備えている。上部ハウジング１０１と下部ハウジング１０２とは、締結されている。
【００１９】
そして、上部ハウジング１０１の上面における図示左後方側には操作部１１０が配設され、上面における背面側には給紙部１２０が配設され、前面側には排紙部１３０が配設されている。更に、このインクジェット式プリンタ１００の内部には、図３及び図４に示すように、用紙搬送部１４０、及び記録部１５０が配設されている。
【００２０】
また、上部ハウジング１０１の上部後方から前面部にかけて開口部１０３が形成されている。この開口部１０３は、開閉自在なプリンタカバー１０４によって覆われている。ユーザは、プリンタカバー１０４を持ち上げて開口部１０３を開放することにより、インクカートリッジの交換作業や用紙搬送部１４０や記録部１５０等の内部機構のメンテナンス作業等を簡易に行うことができる。
【００２１】
操作部１１０は、図１に示すように、パワーをオン・オフするパワー系、用紙の頭出し等を操作したりインクのフラッシング等を操作したりする操作系、画像処理等を行う処理系等のボタン１１３が配設されている。操作部１１０下方のインクジェット式プリンタ１００の内部には、プリンタコントローラを構成する図示しないメイン基板が配設されていて、ＣＰＵ、ＲＯＭ、ＲＡＭ、ＡＳＩＣ等の制御素子や記憶素子、及びその他の各種回路素子が装着されている。メイン基板上端には、パワー系、操作系のボタン１１３が押された時にそれぞれ発光して、ユーザにボタン１１３のオン・オフを確認し得るように配置されたＬＥＤがボタン１１３ごとに突設されている。
【００２２】
給紙部１２０は、図１及び図２に示すように、上方に向かって矩形状に開口した給紙口１２１と、給紙する用紙を１枚もしくは複数枚サポートするペーパーサポート１２２を備えている。このペーパーサポート１２２は、プリンタ本体の図示しない後壁部に形成された差込口に差し込んで取り付けることができる。従って、ユーザは、インクジェット式プリンタ１００の使用又は不使用に応じて、ペーパーサポート１２２を自由に着脱することができる。したがって、不使用時においては、ペーパーサポート１２２を離脱させておくことにより、インクジェット式プリンタ１００をコンパクトにすることができる。
【００２３】
このペーパーサポート１２２の下方側には、図２及び図３に示すように、用紙の両サイドエッジをガイドする固定エッジガイド２３と可動エッジガイド２４等を備えている。固定エッジガイド２３は、図示右側壁に沿う形状でホッパ４１と一体形成され、可動エッジガイド２４は、図示左側壁に沿う形状に形成されている。可動エッジガイド２４は、後壁のガイドレールに沿って図示左側壁から右側壁の方向に摺動可能なように取り付けられている。固定エッジガイド２３と可動エッジガイド２４とは、用紙のサイズが異なっても確実に用紙の両側縁をガイドすることができるので、給送を高精度に行うことができる。
【００２４】
排紙部１３０は、図２に示すように、前方に向かって矩形状に開口した排紙口１３１と、排紙される用紙を１枚もしくは複数枚スタックする機能を併せ持ったスタッカ１３２を備えている。このスタッカ１３２は、排紙口１３１の下方のプリンタ本体に形成されたスタッカ差込口１３３に差し込んで取り付けることができる。従って、ユーザは、インクジェット式プリンタ１００の使用又は不使用に応じて、スタッカ１３２を自由に着脱することができる。したがって、不使用時においては、スタッカ１３２を離脱させておくことにより、インクジェット式プリンタ１００をコンパクトにすることができる。更に、記録後の用紙は常に前面側から排紙されるので、ユーザは用紙を容易に取り出すことができる。
【００２５】
用紙搬送部１４０は、図４に示すように、給紙部１２０から排紙部１３０に掛けて配設されており、自動給紙機構１４１、搬送機構１４２、排紙機構１４３を備えている。自動給紙機構１４１は、ペーパーサポート１２２にサポートされている用紙を給送するために持ち上げるホッパ（跳ね上げ板）４１、このホッパ４１により持ち上げられた用紙を取り出す給紙ローラ４２、この給紙ローラ４２により重送された用紙を１枚のみに分離するリタードローラ４３、このリタードローラ４３により分離された残りの用紙をホッパ４１へ戻す紙戻しレバー４４等を備えている。
【００２６】
ホッパ４１は、用紙が載置可能な平板状に形成されて後壁と略平行に配設されており、下端が給紙ローラ４２の近傍に位置し、上端が後壁頂部に近接して位置するように配設されている。そして、ホッパ４１は、後壁に一端が取り付けられた図示しない圧縮バネの他端が下端側の裏面に取り付けられており、この圧縮バネの伸縮により上端側を中心に下端側が旋回するように配設されている。
【００２７】
給紙ローラ４２は、断面の一部が切り欠かれたＤ字状に形成されてホッパ４１の下端近傍に配設されており、間欠的に回転してホッパ４１により持ち上げられた用紙を摩擦給送するようになっている。リタードローラ４３は、給紙ローラ４２と当接可能に配設されており、給紙ローラ４２により用紙が重送されたときに最上層の用紙のみを下層の用紙から摩擦分離するようになっている。紙戻しレバー４４は、爪状に形成されて給紙ローラ４２の近傍に配設されており、リタードローラ４３により分離された下層の用紙を爪に掛けてホッパ４１へ戻すようになっている。
【００２８】
搬送機構１４２は、記録動作に同期して副走査方向に用紙を送る紙送りローラ４５とその従動ローラ４６等が配設されている。紙送りローラ４５は、プラテン１５３の搬送上流側に配設されており、給紙ローラ４２により給送される用紙を従動ローラ４６と共に挟持してプラテン１５３へ送り出すようになっている。
【００２９】
排紙機構１４３は、排紙ローラ４７と第１ギザローラ４８ａ及び第２ギザローラ４８ｂ等を備えている。第１ギザローラ４８ａは、プラテン１５３の搬送下流側に配設され、第２ギザローラ４８ｂと排紙ローラ４７は、第１ギザローラ４８ａの搬送下流側に対向配設されており、プラテン１５３を通過してくる用紙を先ず第１ギザローラ４８ａで排送し、続いて第２ギザローラ４８ｂと排紙ローラ４７で挟持してスタッカ１３２上へ排紙するようになっている。尚、第１ギザローラ４８ａ及び第２ギザローラ４８ｂは、図示しない同一の保持部材により保持されている。
【００３０】
記録部１５０には、記録動作に同期して主走査方向に移動するキャリッジ１５１、記録動作に同期してインクを吐出する記録ヘッド１５２、記録時の用紙を平坦に保持するプラテン１５３等が配設されている。キャリッジ１５１は、プラテン１５３の上方でキャリッジガイド１５４に支持されてキャリッジベルト１５５に連結されており、キャリッジモータ１５６によってキャリッジベルト１５５が作動すると、キャリッジベルト１５５の動きに連行され、キャリッジガイド１５４に案内されて往復移動するようになっている。このキャリッジ１５１の内部には、複数のインクカートリッジが抜き差し可能なカートリッジ収納部が形成されている。
【００３１】
記録ヘッド１５２は、プラテン１５３と所定の間隔が空くようにしてキャリッジ１５１に搭載されており、例えばブラックインクを吐出するブラックインク用記録ヘッドと、イエロー、シアン、ライトシアン、マゼンタ、ライトマゼンタの５色のインクをそれぞれ吐出する複数のカラーインク用記録ヘッドとを備えている。そして、記録ヘッド１５２は、圧力発生室とそれに繋がるノズル開口がノズルプレートに設けられており、圧力発生室内にインクを貯留して所定圧で加圧することにより、ノズル開口から用紙に向けてコントロールされた大きさのインク滴を吐出するようになっている。
【００３２】
次に、本発明の特徴的な部分であるホッパ４１及び関連する内容について図を参照して説明する。
【００３３】
図５は、本実施形態の下部ハウジング１０２の斜視図である。図５に示すように、下部ハウジング１０２は、ホッパ４１を支持するホッパ支持部（板支持部）２００ａ、２００ｂと、先端当接部（当接部）４１０、給紙支持部（給送支持部）４２０とを有しており、これらの各部材が一体成形されている。また、この下部ハウジング１０２は、下面に、インクジェット式プリンタ１００が設置される設置面と接触する設置部を有している。そして、下部ハウジング１０２の設置部は、インクジェット式プリンタ１００の全設置部となる。
【００３４】
ホッパ支持部２００ａ、２００ｂは、ホッパ４１を揺動可能な状態でインクジェット式プリンタ１００本体に支持するための支持部材である。このホッパ支持部２００ａ、２００ｂは、下部ハウジング１０２の、インクジェット式プリンタ１００の背面の一部を形成する下部ハウジング後壁１０２ａ側に、下部ハウジング１０２の底部から上方へと延びるように成形されている。ホッパ支持部２００ａ、２００ｂの二つの部材間の用紙給送直交方向の幅は、給紙口１２１の幅と略等しくなるようになっている。そして、ホッパ支持部２００ａ、２００ｂには、上端部に取付穴（穴）２０１ａ、２０１ｂが形成されている。
【００３５】
また、ホッパ支持部２００ａ、２００ｂは、下部ハウジング１０２の底部からホッパ支持部２００ａ、２００ｂの略中間の高さまで下部ハウジング後壁１０２ａと一体に連結されている。これにより、ホッパ支持部２００ａ、２００ｂは、用紙給送直交方向に変形し難いようになっている。
【００３６】
さらに、ホッパ支持部２００ａ、２００ｂの間のホッパ支持部２００ｂ側には、先端当接部４１０が成形されている。この先端当接部４１０は、ホッパ４１に載置された用紙の先端と当接して用紙を揃えるための部材であり、ホッパ４１が下がった場合、用紙の先端と当接するように成形されている。次にホッパ４１について図を用いて説明する。
【００３７】
図６は、ホッパ４１の斜視図である。図６に示すように、このホッパ４１は、上述した固定エッジガイド２３を一体形成しており、可動エッジガイド２４が摺動可能なように取り付けられている。さらに、ホッパ４１の用紙給送方向上流側（図示上端側）の両側部には、ホッパ取付部（突起部）２１０ａ、２１０ｂが設けられている。このホッパ取付部２１０ａ、２１０ｂは、略円筒系の突起であり、このホッパ取付部２１０ａを取付穴２０１ａに、ホッパ取付部２１０ｂを取付穴２０１ｂに、それぞれ嵌入することによって、ホッパ４１をホッパ支持部２００ａ、２００ｂに揺動可能に支持させることが可能となる。次に、ホッパ支持部２００ａ、２００ｂにホッパ４１が支持されている状態について図を用いて説明する。
【００３８】
図７は、ホッパ支持部２００ａ、２００ｂにホッパ４１が支持されている状態を示す斜視図である。図７に示すように、ホッパ４１は、ホッパ支持部２００ａ、２００ｂによって用紙給送方向上流側の両側部が支持される。この時、ホッパ４１は、先端当接部４１０と接触せず、揺動可能な状態になっており、先端当接部４１０の図示右側に配設される図示しない駆動機構によって揺動されるようになっている。さらに、ホッパ支持部２００ｂは、側壁によりホッパ４１の揺動を案内し、可動エッジガイド２４の抜け止めを防止することが可能となっている。
【００３９】
また、本実施形態では、ホッパ支持部２００ａ、２００ｂと先端当接部４１０とが下部ハウジング１０２として一体成形されているため、ホッパ４１をホッパ支持部２００ａ、２００ｂによって支持した時に、先端当接部４１０とホッパ４１とが接触しないようにすることが可能となっている。これにより、先端当接部４１０とホッパ４１との位置合わせを行う必要がなくなるので、作業工程を簡略化することも可能となっている。次に、ホッパ支持部２００ａ、２００ｂにホッパ４１が支持されている状態の詳細について図を用いて説明する。
【００４０】
図８は、ホッパ支持部２００ａ、２００ｂにホッパ４１が支持されている状態を詳細に示す図であり、図８（ａ）は、インクジェット式プリンタ１００の組立時のホッパ支持部２００ａの近傍を示す図であり、図８（ｂ）は、インクジェット式プリンタ１００の組立時のホッパ支持部２００ｂの近傍を示す図である。
【００４１】
図８（ａ）に示すように、インクジェット式プリンタ１００が組み立てられた時、ホッパ支持部２００ａの用紙給送直交方向の外側には、上部ハウジング１０１が配設される。そのため、ホッパ支持部２００ａにホッパ４１側から用紙給送直交方向の外側へ向かう力が発生したとしても、ホッパ支持部２００ａは、ホッパ支持部２００ａの用紙給送直交方向の外側に配設されている上部ハウジング１０１によって押さえられることになる。つまり、ホッパ支持部２００ａは、上部ハウジング１０１によって押さえられるため、用紙給送直交方向の変形が防止される。そのため、ホッパ支持部２００ａは、ホッパ４１が外れることを防止することができ、ホッパ４１を支持した状態を維持し続けることが可能となる。
【００４２】
さらに、ホッパ支持部２００ａには、円形の取付穴２０１ａが設けられており、この取付穴２０１ａのホッパ取付部２１０ａの差込方向後方には支持板（板部材）２０２ａが設けられている。この支持板２０２ａは、本実施形態では、ホッパ取付部２１０ａの差込方向と平行な向きに４枚設けられている。この支持板２０２ａは、ホッパ取付部２１０ａが差し込まれた時に、２枚がホッパ取付部２１０ａの上側の外周部と接触し、他の２枚がホッパ取付部２１０ａの下側の外周部と接触するようになっている。
【００４３】
これにより、取付穴２０１ａの内周面で支持され、さらに、支持板２０２ａによって支持されるので、ホッパ取付部２１０ａは、その差込方向の広い幅で支持されることになる。これにより、支持された跳ね上げ板４１を安定させることが可能となる。また、ホッパ取付部２１０ａを、差込方向の幅が広い取付穴で支持する場合に比べて、接触面を少なくすることが可能となるので、ホッパ取付部２１０ａに発生する摩擦力を小さくすることが可能となる。従って、ホッパ４１の揺動を円滑に行うことが可能となっている。さらに、この支持板２０２ａを設けることによって、ホッパ支持部２００ａの強度を向上させることもできる。
【００４４】
図８（ｂ）に示すように、インクジェット式プリンタ１００が組み立てられた時、ホッパ支持部２００ｂの用紙給送直交方向の外側には、上部ハウジング１０１が配設される。そのため、ホッパ支持部２００ｂにホッパ４１側から用紙給送直交方向の外側へ向かう力が発生したとしても、ホッパ支持部２００ｂは、ホッパ支持部２００ｂの用紙給送直交方向の外側に配設されている上部ハウジング１０１によって押さえられることになる。つまり、ホッパ支持部２００ｂは、上部ハウジング１０１によって押さえられるため、用紙給送直交方向の変形が防止される。そのため、ホッパ支持部２００ｂは、ホッパ４１が外れることを防止することができ、ホッパ４１を支持した状態を維持し続けることが可能となる。
【００４５】
さらに、ホッパ支持部２００ｂには、円形の取付穴２０１ｂが設けられており、この取付穴２０１ｂのホッパ取付部２１０ｂの差込方向後方には支持板（板部材）２０２ｂが設けられている。この支持板２０２ｂは、本実施形態では、ホッパ取付部２１０ｂの差込方向と平行な向きに４枚設けられている。この支持板２０２ｂは、ホッパ取付部２１０ｂが差し込まれた時に、２枚がホッパ取付部２１０ｂの上側の外周部と接触し、他の２枚がホッパ取付部２１０ｂの下側の外周部と接触するようになっている。
【００４６】
これにより、取付穴２０１ｂの内周面で支持され、さらに、支持板２０２ｂによって支持されるので、ホッパ取付部２１０ｂは、その差込方向の広い幅で支持されることになる。これにより、支持された跳ね上げ板４１を安定させることが可能となる。また、ホッパ取付部２１０ｂを、差込方向の幅が広い取付穴で支持する場合に比べて、接触面を少なくすることが可能となるので、ホッパ取付部２１０ｂに発生する摩擦力を小さくすることが可能となる。従って、ホッパ４１の揺動を円滑に行うことが可能となっている。さらに、この支持板２０２ｂを設けることによって、ホッパ支持部２００ｂの強度を向上させることもできる。
【００４７】
このように、上述した本実施形態では、ホッパ支持部２００ａ、２００ｂを下部ハウジング１０２として一体成形するという簡易な構成で設けているので、部品点数を減少させることができ、コストを低減することが可能となる。そして、ホッパ支持部２００ａ、２００ｂにホッパ４１を支持させるだけで、用紙の跳ね上げを行うことが可能としているので、組立等の作業工程も減少させることが可能となる。また、ホッパ支持部２００ａ、２００ｂの用紙給送直交方向への変形を、下部ハウジング項壁１０２ａと、上部ハウジング１０１で防止することが可能となるので、ホッパ４１が外れることを防止することが可能となる。
【００４８】
なお、本実施形態では、下部ハウジング１０２だけが設置部を有していたが、本発明の実施形態はこれに限定されるものではない。例えば、下部ハウジング以外の部材に設置部を設けても構わない。
【００４９】
また、本実施形態では、ホッパ支持部に穴を形成し、ホッパに突起部を設けて、ホッパ取付部の穴に突起部を嵌入することによってホッパを支持しているが、突起部をホッパ支持部に設け、穴をホッパに設けても構わない。さらに、穴の形状は円形に限定されるものではなく、突起部が円柱形状であれば、三角形でも多角形でも構わない。また、突起部も円柱に限定されるものではなく、穴の形状が円形であれば、半円柱でも、多角柱でも構わない。
【産業上の利用可能性】
【００５０】
跳ね上げ板を備えた記録装置であれば、例えばファクシミリ装置、コピー装置等であっても適用可能である。
【図面の簡単な説明】
【００５１】
【図１】本発明の一実施の形態に係る記録装置の１つであるインクジェット式プリンタの外観構成全体の斜視図である。
【図２】図１のプリンタのペーパーサポート及びスタッカ取付時の外部構成全体の斜視図である。
【図３】図１のプリンタの内部構成の概略を示す斜視図である。
【図４】図１のプリンタの内部構成の概略を示す断面側面図である。
【図５】図１のプリンタの下部ハウジングの斜視図である。
【図６】図１のプリンタのホッパの斜視図である
【図７】図１のプリンタのホッパの支持状態を示す斜視図である。
【図８】図１のプリンタのホッパの支持状態の詳細図である。
【符号の説明】
【００５２】
２３  固定エッジガイド、２４  可動エッジガイド、４１  ホッパ、１００  インクジェット式プリンタ、１０１  上部ハウジング、１０２  下部ハウジング、１０２ａ  下部ハウジング後壁、１１０  操作部、１２０  給紙部、１２２  ペーパーサポート、１３０  排紙部、１３２  スタッカ、１４０  用紙搬送部、１４０  記録部、１５２  記録ヘッド、１５３  プラテン、２００ａ、２００ｂ  ホッパ支持部、２０１ａ、２０１ｂ  取付穴、２０２ａ、２０２ｂ  支持板、２１０ａ、２１０ｂ  ホッパ取付部、４１０  先端当接部、４２０  給紙支持部。
【図１】
2007276930.tif 000003
【図２】
2007276930.tif 000004
【図３】
2007276930.tif 000005
【図４】
2007276930.tif 000006
【図５】
2007276930.tif 000007
【図６】
2007276930.tif 000008
【図７】
2007276930.tif 000009
【図８】
2007276930.tif 000010